(57)【要約】【課題】  診察用ブース内の化学物質濃度を均一にすること。限られた時間の中で異なる条件のテストをできるだけ多く行うこと。患者に心理的負担をかけることにより、患者の反応に影響が出て実験が不正確になることを避けること。【解決手段】  チャンバと、チャンバに隣接配置したテスティングブースと、チャンバ、テスティングブースにそれぞれ清浄空気を供給する給気系と、チャンバ、テスティングブースからそれぞれ空気を排出する排気系とで構成し、テスティングブースは、天井側に設けた給気系に連絡する導入部、床面または壁面側に設けた排気系に連絡する排気部を有する診察用ブースと、診察用ブースに噴出部と吸引部とを介して隣接配置するとともに噴出部に送風機を設け、化学物質注入装置から注入される化学物質を取り込み、送風機により噴出部と吸引部とを介して診察用ブースの空気を循環させる循環シャフトとを備えた。【選択図】    図１
2005230035.tif 000002
【特許請求の範囲】
【請求項１】
化学物質過敏症の診断、治療を行うための超清浄空間を形成するチャンバと、
前記チャンバに隣接配置したテスティングブースと、
空気浄化装置を介して前記チャンバおよび前記テスティングブースにそれぞれ清浄空気を供給する給気系と、
前記チャンバおよび前記テスティングブースからそれぞれ空気を排出する排気系とで構成し、
前記テスティングブースは、
天井側に設けた前記給気系に連絡する清浄空気導入部、床面または壁面側に設けた前記排気系に連絡する排気部を有し、化学物質過敏症の診察を行うための診察用ブースと、
前記診察用ブースに噴出部と吸引部とを介して隣接配置するとともに前記噴出部に送風機を設け、化学物質注入装置から注入される化学物質を取り込み、前記送風機により前記噴出部と前記吸引部とを介して前記診察用ブースの空気を循環させる循環シャフトとを備えている
ことを特徴とする化学物質過敏症診察用装置。
【請求項２】
請求項１記載の化学物質過敏症診察用装置において、
前記循環シャフトは、前記送風機の吸込側に混合用パネルを備えている
ことを特徴とする化学物質過敏症診察用装置。
【請求項３】
請求項２記載の化学物質過敏症診察用装置において、
前記ガス混合用パネルは、発熱体を備えている
ことを特徴とする化学物質過敏症診察用装置。
【請求項４】
請求項１記載の化学物質過敏症診察用装置において、
前記送風機は、前記給気系から前記診察用ブースに供給される清浄空気の風量の２倍以上の風量で循環させるように運転される
ことを特徴とする化学物質過敏症診察用装置。
【請求項５】
請求項１記載の化学物質過敏症診察用装置において、
前記診察用ブースは、内装材の裏面に発熱体を組み込んだパネル材により壁面が形成されている
ことを特徴とする化学物質過敏症診察用装置。
【請求項６】
請求項１記載の化学物質過敏症診察用装置において、
前記診察用ブースは、内装意匠材の表面に発熱体を重合した透明のパネル材を配設することより壁面が形成されている
ことを特徴とする化学物質過敏症診察用装置。
【発明の詳細な説明】
【技術分野】
【０００１】
本発明は、化学物質過敏症診察用装置に関する。
化学物質過敏症診察用のブースは、化学物質過敏症の診察および治療を行うために、患者（被験者）に段階的に化学物質の濃度を変えて浴びせることで、脳波など反応をモニターする施設の化学物質を注入するブース設備である。
化学物質過敏症の患者（被験者）に対する診察・治療を行う場合、特定の化学物質を厚生労働省が示す室内濃度指針値に対して、１／１０〜１倍の濃度で段階的に変化させるブースに注入する。ブース内の濃度は、患者（被験者）周辺において均一であり、かつ短時間に所定の濃度に到達しなければならない。この場合、到達すべき化学物質濃度に対して、高濃度の化学物質が患者（被験者）に噴霧されてはならない。また、化学物質を一度噴霧した後、次の診断行為に取り掛かる場合、前回噴霧した化学物質の残留がないことが必要である。
【背景技術】
【０００２】
従来、化学物質過敏症診察用のブースとしては、「環境チャレンジテストブースシステム」（特許文献１）、「化学物質過敏症診断・治療用清浄空間システム」（特許文献２）が知られている。
これを図６に基づいて説明する。
超清浄空間を形成するチャンバ２と、このチャンバ２の外部に設けた化学物質過敏症の診断・治療を行うためのテスティングブース３と、チャンバ２およびテスティングブース３にそれぞれ空気を供給する給気系４，５と、チャンバ２およびテスティングブース３から空気を排出する排気系６，７とを備えている。チャンバ２への給気系４は、空調装置８と、吸着装置９とを備え、テスティングブース３への給気系５は、チャンバ２を経た空気をテスティングブース３に供給するように配置され、かつ化学物質注入装置１０を備えている。
【０００３】
化学物質注入装置１０は、化学物質を計量して注入できる化学物質注入部と、注入された化学物質を加熱して気化させる気化部と、気化した化学物質を清浄空気で希釈してテスティングブース３への給気系５に送り込む搬送部とで構成されている。テスティングブース３の壁および天井は、鋼板を基材とした表面をホーロー引きとしたホーロー鉄板を使用している。目地剤は、カオリン、または焼成粘土とロックウールとバインダーの珪酸ナトリウムで構成された材料を使用している。床は、大理石あるいは御影石の天然石を使用しており、これらの素材はガス状の有機物および無機物が発生しないことから選定されたものである。
【０００４】
図６に示すシステムにより、化学物質過敏症の診断の１つである環境チャレンジテストを行う場合について説明する。これは、化学物質が一定の濃度に調整されたテスティングブース３に患者を入れて、極微量の化学物質を曝露させて、患者の反応から原因となる化学物質を特定する診察方法である。この診断施設は、常時化学物質が極めて低い濃度が確保された状況で、特定の化学物質を正確に濃度が維持されることが必要である。診察に用いられる主要な化学物質とその濃度を表１に示す。
【０００５】
この状態において、患者は、テスティングブース３に置かれた椅子に座って安静な状態でいる。テスティングブース３にはガラス窓が付いており、医者は患者の反応を常時観察している。患者が感知しないように、テスティングブース３内にホルムアルデヒドなど特定の化学物質を注入する。
はじめに、患者は化学物質が３０μｇ／ｍ3以下の極めて低い前室（チャンバ２）に入り、３０分〜１時間過ごす。これまで患者が過ごしてきた環境についてアンケートなど問診を行う。化学物質過敏症の発症として疑わしい化学物質がある場合、テスティングブース３に患者を入れてから、例えば、図７に示すように、患者に気が付かれないように特定の化学物質を厚生労働省が示した化学物質の室内濃度指針値に対して１／１０程度になるように段階的に注入する。一定の濃度に到達したら、１５〜３０分程度曝露した状態を維持して、吸入前後の患者の症状の変化や反応をガラス窓越しに観察する。一回の注入で症状に変化が見られない場合、患者は一度退出してテスティングブース３内の化学物質を完全に排出して、化学物質濃度を極めて低い濃度にする。通常、ブース壁面や空調ダクトの吸着影響もあり、３０μｇ／ｍ3以下に濃度が低減するのに時間を要すため、再試験は翌日となる。再び、厚生労働省の濃度指針値の１／２程度の化学物質濃度を注入して、患者の反応を観察する。
【０００６】
【表１】
2005230035.tif 000003
【特許文献１】特許第３０２７９４５号公報
【特許文献２】特許第３０６４９５５号公報
【特許文献３】特開平１１−１２８６４５号公報
【発明の開示】
【発明が解決しようとする課題】
【０００７】
しかし、図６に示すテスティングブース３を用いて化学物質の診察である化学物質の注入によるチャレンジテストを行う場合、以下のような問題が生じる。
（１）給気系５に化学物質を注入するための手段として、化学物質を既に希釈した状態でテスティングブース３内へ供給する方法を採用し、テスティングブース３内の化学物質濃度が所定の濃度に到達するまでの時間を、テスティングブース３ヘの供給空気量に依存する方法を採用するため、テスティングブース３内が所定の濃度に到達するまで時間を要する。
（２）化学物質を注入する際には、テスティングブース３の排気も同時に行うため、これに伴い周辺の超清浄空間を形成するチャンバ２から空気が誘引され、テスティングブース３内の汚染が生じる。また、天井チャンバー３ａで超清浄空間を形成するチャンバ２の空気と注入された化学物質が合流するため、完全に混合されない状態で天井面から供給され、テスティングブース３内における化学物質濃度に分布を生じてしまう。
（３）給気系５のダクト内に気化した高濃度の化学物質を注入するため、ダクト内の化学物質をダクトが吸着して再放散するために、注入をやめて清浄な空気を流し続けても、テスティングブース３内の化学物質濃度が低減するまでに時間を要する。さらに、排気系のみでテスティングブース３内の化学物質濃度を低減するため、ダクトが吸着した化学物質の低減効果が期待できず、初期化して次の診察を行う環境を整えるまでに時間を要する。
（４）テスティングブース３の材料として、化学物質の放散が少ないホーローや天然石を使用しているが、これらが化学物質を吸着した場合、再放散の影響がある。また、意匠的な材料選択性に制約がある。
（５）テスティングブース３内の化学物質濃度は、ガス注入量と給排気量と混合された給気系の空気量とから算出される希釈率により決定されるが、所定の濃度に到達させるまでの制御系が示されていない。
（６）特許文献１，２の出願時点では、まだ研究段階であり技術的内容は優れているものの、病院業務の一環として本格的に多くの患者（被験者）の診断・治療を行い、いわばサービスあるいはビジネスとして成功させるというような考え方はあまりなく、また、人に影響を及ぼすかもしれない化学的・物理的な環境要因についてはよく考慮されているが、心理的なものまでは配慮されていない。
【０００８】
そこで、本発明の第一の目的は、診察用ブース内の化学物質濃度を均一にすることにより、患者（被験者）に設定よりも高濃度の化学物質が噴霧されずに、より正確な診察を行うことができる化学物質過敏症診察用装置を提供することにある。
また、本発明の第二の目的は、限られた時間の中で異なる条件のテストをできるだけ多く行うため、個々の実験の立ち上がりと初期化の時間を短縮することにより、一つの実験に要する時間をできるだけ短縮することを可能とした化学物質過敏症診察用装置を提供することにある。
【０００９】
さらに、本発明の第三の目的は、患者（被験者）に心理的負担をかけることにより、患者（被験者）の反応に影響が出て実験が不正確になることを避けるため、鋼板の箱の中で実験されるというよりは、日常生活している空間の雰囲気に近い場所で緊張させないでテストを行うことを可能とした化学物質過敏症診察用装置を提供することにある。
【課題を解決するための手段】
【００１０】
請求項１に係る発明は、化学物質過敏症の診断、治療を行うための超清浄空間を形成するチャンバと、前記チャンバに隣接配置したテスティングブースと、空気浄化装置を介して前記チャンバおよび前記テスティングブースにそれぞれ清浄空気を供給する給気系と、前記チャンバおよび前記テスティングブースからそれぞれ空気を排出する排気系とで構成し、前記テスティングブースは、天井側に設けた前記給気系に連絡する清浄空気導入部、床面または壁面側に設けた前記排気系に連絡する排気部を有し、化学物質過敏症の診察を行うための診察用ブースと、前記診察用ブースに噴出部と吸引部とを介して隣接配置するとともに前記噴出部に送風機を設け、化学物質注入装置から注入される化学物質を取り込み、前記送風機により前記噴出部と前記吸引部とを介して前記診察用ブースの空気を循環させる循環シャフトとを備えていることを特徴とする。
【００１１】
請求項２に係る発明は、請求項１記載の化学物質過敏症診察用装置において、前記循環シャフトは、前記送風機の吸込側に混合用パネルを備えていることを特徴とする。
請求項３に係る発明は、請求項２記載の化学物質過敏症診察用装置において、前記ガス混合用パネルは、発熱体を備えていることを特徴とする。
請求項４に係る発明は、請求項１記載の化学物質過敏症診察用装置において、前記送風機は、前記給気系から前記診察用ブースに供給される清浄空気の風量の２倍以上の風量で循環させるように運転されることを特徴とする。
【００１２】
請求項５に係る発明は、請求項１記載の化学物質過敏症診察用装置において、前記診察用ブースは、内装材の裏面に発熱体を組み込んだパネル材により壁面が形成されていることを特徴とする。
請求項６に係る発明は、請求項１記載の化学物質過敏症診察用装置において、前記診察用ブースは、内装意匠材の表面に発熱体を重合した透明のパネル材を配設することにより壁面が形成されていることを特徴とする。
【発明の効果】
【００１３】
（１）診察用ブース内の濃度を均一にして、患者（被験者）に設定よりも高濃度の化学物質が噴霧されずに、より正確な診察を行うことができる。
（２）吸着した化学物質を脱離させて診察用ブース内の化学物質濃度を短時間に低減させることで、患者（被験者）の待機時間短縮と診療回数施設の運転効率を向上させることができる。
（３）意匠性を高めることができる。
（４）複数のテストのインターバルを短くすることにより、患者（被験者）にとっては負担が少なく、施設運営者にとっては、回転率を高められ、一定の時間により多くの患者（被験者）の診断が可能となる。
【発明を実施するための最良の形態】
【００１４】
以下、本発明を図面に示す実施形態に基づいて説明する。
図１，図２は、本発明の一実施形態に係る化学物質過敏症診察用装置２０を示す（請求項１ないし請求項６に対応）。
本実施形態に係る化学物質過敏症診察用装置２０は、化学物質過敏症の診断、治療を行うための超清浄空間を形成するチャンバ２１と、扉５０を介してチャンバ２１に隣接配置したテスティングブース２５と、空気浄化装置を介してチャンバ２１およびテスティングブース２５にそれぞれ清浄空気を供給する給気系４０と、チャンバ２１およびテスティングブース２５からそれぞれ空気を排出する排気系４５，４７とで構成されている。
【００１５】
チャンバ２１は、給気系４０に連絡する空気導入部２２と、排気系４５に連絡する排気部２３と、給気系４０の戻り路に連絡する排気部２４とを設けている。
テスティングブース２５は、化学物質過敏症の診察を行うための診察用ブース２６と、診察用ブース２６に隣接配置された循環シャフト３０とで構成されている。
診察用ブース２６は、天井側に設けた給気系４０に連絡する清浄空気導入部２７と、床面または壁面側（本例では、床面）に排気系４７に連絡する排気部２８とを設けている。
【００１６】
診察用ブース２６は、図３に示すように、一対の鋼板２６ａ，２６ａの間に面状発熱体または線状発熱体などの発熱体２６ｂと珪酸カルシウム板２６ｃとを組み込んだパネル材により壁面が形成されている。また、診察用ブース２６には、図２に示すように、患者（被験者）の症状の変化や反応を観察するガラス窓２９が設けてある。
循環シャフト３０は、診察用ブース２６に噴出部３１と吸引部３２とを介して連絡する空間であり、噴出部３１に送風機３３を設け、送風機３３の吸込側に混合用パネル３４を設け、外部に設置した化学物質注入装置３６から注入される化学物質を取り込む導入部３５を設けている。化学物質注入装置３６は、化学物質の濃度を調整したボンベまたは試薬を気化して注入することができる装置である。図２では、標準ガスボンベ３６ａを示している。各標準ガスボンベ３６ａは、マスフローコントローラ３６ｂと、切替バルブ３６ｃを介して導入部３５と連絡している。マスフローコントローラ３６ｂは、診察用ブース２６に設けたＶＯＣセンサ３６ｄによる到達濃度の予測制御により標準ガスボンベ３６ａの導入を制御している。ただし、この制御系は、周知の方法に従って行うことも可能である。
【００１７】
送風機３３は、給気系４０から診察用ブース２６に供給される清浄空気の風量の２倍以上の風量で、噴出部３１と吸引部３３とを介して診察用ブース２６の空気を診察用ブース２６と循環シャフト３０との間を循環させるように運転される。
混合用パネル３４は、複数のステンレスなどの鋼板３４ａを階段状や螺旋状に組むことにより、図２に示すように、化学物質注入装置３６から導入された化学物質を送風機３３に吸引される際に循環シャフト３０内の空気と混合することができる攪拌装置を構成している。
【００１８】
また、混合用パネル３４は、面状発熱体や線状発熱体などをステンレスなどの鋼板に挟み込み、表面温度を４０℃程度に加熱することができるようにしてある。
給気系４０は、外気を外調機４１を介して取り込み、空調機４２および空気浄化装置４３によって清浄空気とした後、ＨＥＰＡフィルタなどの高性能フィルタ４４を介してチャンバ２１およびテスティングブース２５に清浄空気を供給する。また、給気系４０は、チャンバ２１の一部の空気を空調機４２に戻し、循環させている。
【００１９】
一方の排気系４５は、チャンバ２１の一部の空気をファン４６を介して排気し、他方の排気系４７は、診察用ブース２６の一部の空気をファン４８を介して排気している。
次に、斯くして構成された本実施形態の作用を説明する。
先ず、給気系３０、排気系４５，４７を駆動してチャンバ２１および診察用ブース２６内を超清浄空間（例えば、化学物質が３０μｇ／ｍ3以下の極めて低い清浄エリア）とする。
【００２０】
次に、患者（被験者）をチャンバ２１に入れ、３０分〜１時間過ごさせる。これまで患者（被験者）が過ごしてきた環境についてアンケートなど問診を行う。化学物質過敏症の発症として疑わしい化学物質がある場合、扉５０を開いて診察用ブース２６に患者（被験者）を入れる。
この状態において、患者（被験者）は、診察用ブース２６に置かれた椅子に座って安静な状態でいる。診察用ブース２６に設けたガラス窓２９越しに医者は患者（被験者）の反応を常時観察している。
【００２１】
次に、患者（被験者）に気が付かれないように、表１に示す特定の化学物質を厚生労働省が示した化学物質の室内濃度指針値に対して１／１０程度になるように段階的に注入する。
ここで、診察用ブース２６では、循環シャフト３０の送風装置３３を駆動して診察用ブース２６に供給する清浄空気の２倍以上で循環させるとともに化学物質注入装置３６から循環シャフト３０内にガスを注入する。そして、診察用ブース２６内の化学物質の濃度が一定の濃度に到達したら、１５〜３０分程度曝露した状態を維持して、吸入前後の患者（被験者）の症状の変化や反応をガラス窓２９越しに観察する。
【００２２】
この際、診察用ブース２６内の化学物質濃度は下記（１式）によって求まる。ただし、通常供給される清浄空気には化学物質は含まれず、Ｃ0＝０となる。ここで、診察用ブース２６の必要換気量は、下記１）、２）に示すように、建築基準法による根拠と患者（被験者）が不快感なく診断を受けるために一定の温度を維持すべき条件によって決まる。
Ｃ＝Ｃ0＋Ｃv×Ｍ／Ｑ1・・・・（１式）
Ｃ：診察用ブース２６内の化学物質濃度［μｇ／ｍ3］
Ｃ0：清浄空気の化学物質濃度［μｇ／ｍ3］
Ｃv：注入する化学物質の濃度［μｇ／ｍ3］
Ｍ：化学物質の注入量［μｇ／ｈ］
Ｑ1：診察用ブース２６の必要換気量（清浄空気の供給量）［ｍ3／ｈ］
１） 建築基準法による必要換気量
建築基準法において、居室における必要換気量は２０ｍ3／人・ｈ以上確保されること。また、住宅の場合、室内の化学物質を低減させるために確保すべき導入外気による換気は、対象とする居室の容積に対して、０．５回／ｈ以上の換気が確保されること。
【００２３】
従って、診察を行う診察用ブース２６の容積を１５ｍ3とした場合は、診察用ブース２６に入る患者（被験者）は、１人であるため、最低２０ｍ3／ｈ以上となる。
２） 被験者の発熱負荷による換気量
診察用ブース２６には、患者（被験者）が長時間座って待機していることから、空気調和により温度が一定の環境に維持されることが望ましい。患者（被験者）が不快感を覚えないように患者（被験者）から発生する顕熱負荷（静座時：約５０ｋｃａｌ／ｈ）を処理する必要がある。診察用ブース２６内の設定温度に対して供給空気の温度差を７℃とした場合、清浄空気の供給量は約２５ｍ3／ｈとなる。
【００２４】
上記理由により、診察用ブース２６に供給する清浄空気の必要換気量は、２０〜３０ｍ3／ｈ程度となる。
また、診察用ブース２６内の濃度設定は、化学物質過敏症の診断治療においては、厚生労働省が策定した化学物質の室内濃度指針値を基準として、１／１０から段階的に希釈した雰囲気濃度を指針値濃度付近まで患者（被験者）に曝露させる。診察で用いる主要な化学物質の濃度は、表１に示す通りである。
【００２５】
また、診察用ブース２６内の化学物質所定濃度の到達時間は、１５ｍ3の容積の診察用ブース２６に清浄空気を３０ｍ3／ｈ（２回／ｈ換気相当）と７５ｍ3／ｈ（５回／ｈ換気相当）で供給した場合、トルエンを診察用ブース２６に注入して、厚生労働省の濃度指針値（０．０７ｐｐｍ）の１／１０にする。調整可能な３５ｐｐｍトルエンを注入すると清浄空気による希釈の平衡状態から算出したガスの流量は、それぞれ０．１リットル／分および０．２５リットル／分となる。
【００２６】
各条件において、下記（２式）から診察用ブース２６のトルエン濃度を算出した結果を図４に示す。
Ｃ＝Ｍ／Ｑ1×｛１−ｅ（−Ｑ1×ｔ／Ｒ）｝・・・・（２式）
Ｃ：診察用ブース２６内の化学物質濃度［μｇ／ｍ3］
Ｑ1：清浄空気の供給量（換気量）［ｍ3／ｈ］
Ｍ：化学物質の注入量（ガス濃度×流量）［μｇ／ｈ］
Ｒ：診察用ブース２６の容積［ｍ3］
ｔ：ガス注入後の経過時間［ｈ］
ここで、注入ガス濃度が同じであれば、清浄空気の供給量が多いほうが所定の濃度に到達するまでの時間は短くなるが、７５ｍ3／ｈで約１時間、３０ｍ3／ｈで約３時間以上を要する。この間、注入ガスの消費量は、１５リットルと、１８リットル以上となる。
【００２７】
従って、診察用ブース２６内を攪拌して瞬時に濃度を均一にすれば、ガス注入初期に診察用ブース２６への清浄空気の供給量（換気量）および、注入ガス量を一時的に多くすることで、到達時間を短縮し、かつ注入ガスの消費量を少なくすることができる。
次に、一回の注入で症状に変化が見られない場合は、患者（被験者）を一度退出させる。
【００２８】
次に、混合用パネル３４および診察用ブース２６の壁面に設けた発熱体に通電して表面温度を４０℃程度に加熱する。これによって、循環シャフト３０内および診察用ブース２６内の雰囲気温度は高まるとともに混合用パネル３４および診察用ブース２６の壁面に吸着した化学物質が離脱する。また、送風機３３により加温された空気が診察用ブース２６内に送られ、診察用ブース２６内の温度が上昇し、診察用ブース２６壁面に吸着した化学物質が離脱する。このとき、診察用ブース２６に供給する清浄空気を一時的に増やすことで、診察用ブース２６の壁面から離脱した化学物質は早期に診察用ブース２６の外部へ排出させることができる。
【００２９】
この操作により、診察用ブース２６内の化学物質の濃度を３０μｇ／ｍ3以下に低減することができる。
次に、循環シャフト３０内に化学物質を注入して、診察用ブース２６内の化学物質濃度を厚生労働省の濃度指針値の１／２程度とし、患者（被験者）の反応を観察する。
次に、患者（被験者）が退出後、混合用パネル３４および診察用ブース２６の壁面に設けた発熱体に通電して表面温度を４０℃程度に加熱して、診察用ブース２６内の化学物質の濃度を３０μｇ／ｍ3以下に低減する作業を行う。
【００３０】
以上のように、本実施形態によれば、厚生労働省が示す室内濃度指針値に対して、１／１０〜１倍の濃度で注入された特定の化学物質を診察用ブース２６から吸い込んだ空気と攪拌混合し診察用ブース２６の給気とは異なる部位から診察用ブース２６に供給する空気量の２倍以上の循環を行う循環シャフト３０を診察用ブース２６の隣に設けたので、化学物質過敏症の患者（被験者）に対する診察・治療を行う場合、診察用ブース２６内の濃度は、患者（被験者）周辺において均一であり、かつ短時間に所定の濃度に到達することが可能となる。勿論、到達すべき化学物質濃度に対して、高濃度の化学物質が患者（被験者）に噴霧されることはない。また、化学物質を一度噴霧した後、次の診断行為に取り掛かる場合、前回噴霧した化学物質の残留がないように、診察用ブース２６の壁面および循環シャフト３０内の混合用パネル３４に設けた発熱体の加熱によりこれらの表面温度を４０℃にすることにより、ベークアウトにより吸着した化学物質を排出することができる。
【００３１】
なお、上記実施形態では、診察用ブース２６の壁面を、化学物質放散と吸着が少ないステンレスなどの鋼板２６ａと鋼板２６ａとの間に発熱体２６ｂと珪酸カルシウム板２６ｃとを組み込んだパネル材により形成した場合について説明したが、本発明はこれに限らず、例えば、図５に示すように、意匠性を高めるために、木質材料や壁紙など一般の内装仕上げ材や大理石などの内装仕上げ材などの内装材２６ｅの表面にガラスやアクリル樹脂板などの透明なパネル材２６ｄを被せることで、化学物質の放散を低減した診察用ブース２６の構成材料が任意に選定できる。さらに、この透明なパネル材２６ｄに金属膜を蒸着した発熱体とすることで、表面温度を上昇させて透明なパネル材２６ｄ表面に吸着した化学物質を脱離させることができる。内装仕上げ材２６ｅには、下地材２６ｆが設けてある。
【００３２】
また、患者（被験者）の心理的な影響を配慮して、意匠性の高い木質材料や壁紙など一般の内装仕上げ材や大理石などの内装仕上げ材などから成る内装意匠材の表面に面状発熱体や線状発熱体などのを発熱体を重合したパネル材により壁面を形成しても良い。
このように、診察用ブース２６を鋼板製箱から成る実験室から、日常生活している空間の雰囲気に近い空間に変えることにより、緊張させないテストを行うことが可能となる。特に、患者（被験者）には子供が多いことから、きめ細かい配慮を施した空間とすることにより好ましい結果を導き出すことが可能となる。
【産業上の利用可能性】
【００３３】
化学物質過敏症の診察に有効に利用することが可能となる。
【図面の簡単な説明】
【００３４】
【図１】本発明の一実施形態に係る化学物質過敏症診察用装置を示す説明図である。
【図２】図１における要部を示す説明図である。
【図３】図１における診察用ブースの壁面を示す分解斜視図である。
【図４】図１に示す実施形態における診察用ブースのトルエン濃度を算出した結果を示す図である。
【図５】図１における診察用ブースの壁面を示す分解斜視図である。
【図６】従来の化学物質過敏症診察用装置を示す説明図である。
【図７】化学物質過敏症の診察におけるブース内の化学物質濃度変化を示す図である。
【符号の説明】
【００３５】
２０  化学物質過敏症診察用装置
２１  チャンバ
２５  テスティングブース
２６  診察用ブース
３０  循環シャフト
３３  送風機
３４  混合用パネル
３６  化学物質注入装置
４０  給気系
４５，４７  排気系
【図１】
2005230035.tif 000004
【図２】
2005230035.tif 000005
【図３】
2005230035.tif 000006
【図４】
2005230035.tif 000007
【図５】
2005230035.tif 000008
【図６】
2005230035.tif 000009
【図７】
2005230035.tif 000010